(57)【要約】【課題】所定の員数が多くても、物品の個数を間違いなく簡単に測定して、パッケージ用等に供給される物品を所定の員数に検査できるようにすることである。【解決手段】ケースにパッケージされる段ボールシートを複数枚ずつバッチ供給して、バッチ供給される毎の段ボールシートのバッチ重量ΔＷを算出し、算出されたバッチ重量ΔＷを予め求められた段ボールシートの平均単重ｗで除算して、その除算値を四捨五入した整数値を、バッチ供給された段ボールシートの枚数ｎとし、この段ボールシートのバッチ供給枚数ｎの積算値Σｎを所定の員数Ｎに合わせることにより、所定の員数Ｎが多くても、その単重ｗのばらつきａに影響されることなく、段ボールシートの枚数を間違いなく簡単に測定して員数Ｎを検査できるようにした。【選択図】図２
2007051926.tif 000002
【特許請求の範囲】
【請求項１】
供給される物品を所定の員数に合わせるように検査する員数検査装置において、前記物品を複数個ずつバッチ供給して、バッチ供給された物品のバッチ重量を測定し、この測定されたバッチ重量を予め求められた物品の平均単重で除算して、その除算値を四捨五入した整数値を、前記バッチ供給された物品の個数とし、このバッチ供給された物品の個数の積算値を前記所定の員数に合わせるように検査することを特徴とする員数検査装置。
【請求項２】
前記物品の単重のばらつきを±ａ％、前記バッチ供給される物品の個数をｎとしたときに、（１）式を満足するようにした請求項１に記載の員数検査装置。
ｎ×（ａ／１００）＜０．５                                          （１）
【発明の詳細な説明】
【技術分野】
【０００１】
本発明は、供給される物品を所定の員数に合わせるように検査する員数検査装置に関する。
【背景技術】
【０００２】
パッケージ用等に供給される物品を所定の員数に合わせるように検査する場合は、物品を１個または２、３個等の少数ずつカウントして所定の員数に合わせる方法や、所定の員数に近い物品の総重量を測定し、この総重量を物品の単重で除算して得られる物品の個数を、所定の員数に合わせる方法が採用されている。
【発明の開示】
【発明が解決しようとする課題】
【０００３】
上述した物品を少数ずつカウントして所定の員数に合わせる方法は、物品の所定の員数が多いときに手間がかかり、カウントを間違える恐れもある。
【０００４】
一方、物品の総重量を単重で除算して得られる物品の個数を、所定の員数に合わせる方法は、パッケージ用等の物品の個数を簡単に測定できるが、物品の単重にばらつきがある場合は、物品の所定の員数が多くなると、その単重のばらつきの累積によって、総重量を単重で除算して得られる物品の個数に誤差が生じ、誤った員数で物品がパッケージ用等に供される恐れがある。
【０００５】
そこで、本発明の課題は、所定の員数が多くても、物品の個数を間違いなく簡単に測定して、パッケージ用等に供給される物品を所定の員数に検査できるようにすることである。
【課題を解決するための手段】
【０００６】
上記の課題を解決するために、本発明は、供給される物品を所定の員数に合わせるように検査する員数検査装置において、前記物品を複数個ずつバッチ供給して、バッチ供給された物品のバッチ重量を測定し、この測定されたバッチ重量を予め求められた物品の平均単重で除算して、その除算値を四捨五入した整数値を、前記バッチ供給された物品の個数とし、このバッチ供給された物品の個数の積算値を前記所定の員数に合わせるように検査する構成を採用した。
【０００７】
すなわち、物品を複数個ずつバッチ供給して、バッチ供給された物品のバッチ重量を測定し、この測定されたバッチ重量を予め求められた物品の平均単重で除算して、その除算値を四捨五入した整数値を、バッチ供給された物品の個数とし、このバッチ供給された物品の個数の積算値を所定の員数に合わせることにより、所定の員数が多くても、物品の単重のばらつきに影響されることなく、物品の個数を間違いなく簡単に測定して、パッケージ用等に員数を検査できるようにした。
【０００８】
前記物品の単重のばらつきを±ａ％、前記バッチ供給される物品の個数をｎとしたときに、（１）式を満足するようにすることにより、重量測定から算出される物品の個数に対する物品の単重のばらつきの影響を、より確実に排除することができる。
ｎ×（ａ／１００）＜０．５                                          （１）
【発明の効果】
【０００９】
この発明の員数検査装置は、物品を複数個ずつバッチ供給して、バッチ供給された物品のバッチ重量を測定し、この測定されたバッチ重量を予め求められた物品の平均単重で除算して、その除算値を四捨五入した整数値を、バッチ供給された物品の個数とし、このバッチ供給された物品の個数の積算値を所定の員数に合わせるようにしたので、所定の員数が多くても、物品の単重のばらつきに影響されることなく、物品の個数を間違いなく簡単に測定して、パッケージ用等に員数を検査することができる。
【００１０】
前記物品の単重のばらつきを±ａ％、前記バッチ供給される物品の個数をｎとしたときに、（１）式を満足するようにすることにより、重量測定から算出される物品の個数に対する物品の単重のばらつきの影響を、より確実に排除することができる。
【発明を実施するための最良の形態】
【００１１】
以下、図面に基づき、この発明の実施形態を説明する。この員数検査装置は、図１に示すように、ケース１に入れてパッケージされる物品である、グルワ２から供給される折り畳み糊付けされた段ボールシートＡの枚数を、所定の員数に合わせるように検査するものであり、ケース１が載置される傾斜台３ａを有する重量秤３と、重量秤３で測定された重量の演算機能を有するシーケンサ４と、演算結果等の表示機能とデータの入力機能を有するタッチパネル５と、ケース１に入れられた段ボールシートＡの枚数が所定の枚数か否かを知らせる赤と青のパトライト６ａ、６ｂとで基本的に構成されており、グルワ２の排出端２ａから作業者によって複数枚ｎずつケース１の中にバッチ供給される段ボールシートＡを、所定の員数Ｎに合わせるように検査する。なお、段ボールシートＡの単重のばらつきａ（公差）は±４％である。
【００１２】
この実施形態では、各回のバッチ供給枚数ｎが１０枚に設定され、所定の員数Ｎは１００枚とされている。したがって、（１）式がつぎのように満足される。
ｎ×（ａ／１００）＝１０×（４／１００）＝０．４＜０．５
【００１３】
以下に、図２のフローチャートに基づいて、前記シーケンサ４が、ケース１に入れられる段ボールシートＡの枚数を所定の員数Ｎに合わせるように検査する手順を説明する。まず、予備ステップＹＳとして、予め計測された１０枚の段ボールシートＡの平均単重ｗが記憶され（ＹＳ−１）、段ボールシートＡの設定バッチ供給枚数ｎと所定の員数Ｎがタッチパネル５から入力される（ＹＳ−２）。
【００１４】
つぎに、本ステップＳとして、重量秤３にケース１のみを載せた状態で測定された重量を初期重量Ｗ０として記憶する（Ｓ−１）。こののち、ケース１に段ボールシートＡが複数枚ずつバッチ供給されて、このとき測定された重量を今回重量Ｗｉとし（Ｓ−２）、今回重量Ｗｉと前回重量Ｗｉ−１との重量差ΔＷを算出する（Ｓ−３）。つぎに、重量差ΔＷを平均単重ｗで除算して四捨五入した整数値から実際のバッチ供給枚数ｎＡを求め（Ｓ−４）、このバッチ供給枚数ｎＡを設定バッチ供給枚数ｎと比較する（Ｓ−５）。バッチ供給枚数ｎＡに過不足がある場合は、赤のパトライト６ａが点灯され（Ｓ−６）、作業者がバッチ供給枚数ｎＡを設定バッチ供給枚数ｎに合わせたのち（Ｓ−７）、バッチ供給枚数ｎＡに過不足がない場合は、そのまま、設定バッチ供給枚数ｎに合わせた今回のバッチ供給枚数をこれまでのバッチ供給枚数ｎに積算して（Ｓ−８）、積算バッチ供給枚数Σｎを所定の員数Ｎと比較する（Ｓ−９）。積算バッチ供給枚数Σｎが所定の員数Ｎに達しない場合は、（Ｓ−２）ステップに戻ってバッチ供給を繰り返し、積算バッチ供給枚数Σｎが所定の員数Ｎに達したときは、青のパトライト６ｂが点灯され（Ｓ−１０）、今回の検査作業が終了して、つぎの検査作業が開始される。
【００１５】
図３は、前記タッチパネル５の画面の例を示す。この画面には、設定バッチ供給枚数ｎ、所定の員数Ｎ、平均単重ｗ、今回重量Ｗｉ、実際のバッチ供給枚数ｎＡ、積算バッチ供給枚数Σｎ、残り必要枚数Ｎ−Σｎ等が表示されるようになっており、作業者はこの画面を見ながら、段ボールシートＡをケース１にバッチ供給する。
【００１６】
上述した実施形態では、ケースにパッケージされる段ボールシートの物品を所定の員数に合わせるものとしたが、本発明に係る員数検査装置の適用は、パッケージ用の物品に限定されることはなく、物品の形態もシート状のものに限定されることはない。
【００１７】
また、上述した実施形態では、段ボールシートのバッチ供給枚数を一定値に設定したが、物品のバッチ供給個数は、必ずしも一定値に設定する必要はなく、その都度、任意の個数で物品をバッチ供給してもよい。
【図面の簡単な説明】
【００１８】
【図１】員数検査装置の実施形態を示す構成図
【図２】図１のシーケンサによる員数の検査手順を示すフローチャート
【図３】図１のタッチパネルの画面の例を示す平面図
【符号の説明】
【００１９】
Ａ  段ボールシート
１  ケース
２  グルワ
２ａ  排出端
３  重量秤
３ａ  傾斜台
４  シーケンサ
５  タッチパネル
６ａ、６ｂ  パトライト
【図１】
2007051926.tif 000003
【図２】
2007051926.tif 000004
【図３】
2007051926.tif 000005